(57)【要約】【課題】番組情報には、簡易番組情報と、詳細番組情報があることに着目し、番組情報の取得及び蓄積を簡易タイプと、詳細タイプに区別できるようにし、ユーザの選択に応じて適応的に切換えられるようにした。【解決手段】番組情報取得部で番組情報を受信し、前記番組情報の少なくとも受信に必要なタイトル、放送時間帯を含む一部の番組表を蓄積部に蓄積する。前記番組表を表示部で表示し、受信番組指定があったときに、当該希望番組の詳細番組情報の取り込み処理を前記番組情報取得部で開始し、前記詳細番組情報の取り込み中に、操作部から中止指令があったときは前記詳細番組情報の取り込みを中止する。【選択図】      図１
2006253913.tif 000002
【特許請求の範囲】
【請求項１】
番組情報取得部により番組情報を受信し、
蓄積部に前記番組情報の少なくともタイトル、放送時間帯、及び受信に必要な情報を含む情報で番組表を生成し、
表示制御部が表示部に前記番組表を表示し、
受信番組指定部で、前記番組表の情報を参照するとともに、受信を希望する番組の指定を行い、
前記受信番組の指定があったときに、指定番組の詳細番組情報の取得を前記番組情報取得部で開始し、
前記詳細番組情報の取り込み中に、操作部から中止指令があったときは前記詳細番組情報の取り込みを中止処理部により中止する
番組情報処理方法。
【請求項２】
前記番組情報取得部が、前記指定番組の詳細番組情報の取得を行っているときは、
前記表示制御部は、前記表示部に詳細番組情報を取得中であることを示すアイコンを表示する請求項１記載の番組情報処理方法。
【請求項３】
前記番組情報取得部が、前記指定番組の詳細番組情報の取得を行っているときは、
前記表示制御部は、前記表示部に詳細番組情報を取得中であることを示すアイコンと、中止の操作が可能であることを示すアイコンを表示する請求項１記載の番組情報処理方法。
【請求項４】
前記番組情報取得部が、前記指定番組の詳細番組情報の取得を行っているときは、
前記表示制御部は、前記表示部に詳細番組情報を取得中であることを示すアイコンと、中止の操作が可能であることを示すアイコンと、中止操作を行うことができるリモートコントローラ上にある操作ボタンのアイコンと
を表示する請求項１記載の番組情報処理方法。
【請求項５】
前記中止操作が行われたときに、前記表示制御部は、前記蓄積部に蓄積済みの番組情報を表示する
請求項４記載の番組情報処理方法。
【請求項６】
番組情報を受信する番組情報取得部と、
前記番組情報取得部で取得される前記番組情報の少なくともタイトル、放送時間帯、及び受信に必要な情報を含む情報による番組表を蓄積する蓄積部と、
表示部に前記番組表を表示する表示制御部と、
番組選択信号に応答して前記番組表の情報を参照するとともに、受信番組の指定を行う受信番組指定部と、
前記受信番組の指定があったときに、指定番組の詳細番組情報の取得を開始する前記番組情報取得部と、
前記詳細番組情報の取り込み中に、操作部から中止指令があったときは前記詳細番組情報の取り込みを中止する中止処理部と、を有した番組情報処理装置。
【請求項７】
前記番組情報取得部が、前記指定番組の詳細番組情報の取得を行っているときは、
前記表示制御部は、前記表示部に詳細番組情報を取得中であることを示すアイコンを表示する請求項６記載の番組情報処理装置。
【請求項８】
前記番組情報取得部が、前記指定番組の詳細番組情報の取得を行っているときは、
前記表示制御部は、前記表示部に詳細番組情報を取得中であることを示すアイコンと、中止の操作が可能であることを示すアイコンを表示する請求項６記載の番組情報処理装置。
【請求項９】
前記番組情報取得部が、前記指定番組の詳細番組情報の取得を行っているときは、
前記表示制御部は、前記表示部に詳細番組情報を取得中であることを示すアイコンと、中止の操作が可能であることを示すアイコンと、中止操作を行うことができるリモートコントローラ上にある操作ボタンのアイコンと
を表示する請求項６記載の番組情報処理装置。
【請求項１０】
前記中止操作が行われたときに、前記表示制御部は、前記蓄積部に蓄積済みの番組情報を表示する
請求項９記載の番組情報処理装置。
【発明の詳細な説明】
【技術分野】
【０００１】
この発明は、番組情報処理方法及び装置に関するもので、テレビジョン受信器、映像録画装置などに適用される。
【背景技術】
【０００２】
最近の放送受信装置には、番組情報を処理する技術が適用されている。番組情報は、電子番組案内（ＥＰＧ）とも称され、ＢＳ（Broadcast satellite ），ＣＳ(Communication satellite)放送では,各チャンネルで放送される大多数の番組のタイトル、放送時間帯、さらには各番組の詳細情報（出演者などのプロファイル等、トピックス）が番組情報として放送される。この番組情報を受信する放送受信装置が、例えば特許文献１に記載されている。
【特許文献１】特開２００１−２１１４００号公報
【発明の開示】
【発明が解決しようとする課題】
【０００３】
最近ではチャンネル数の増加にともない、番組情報もその情報量が大きくなり、受信装置で全ての情報を処理する時間が無視できない程度である。
【０００４】
そこでこの発明の一面では、番組情報には、簡易番組情報と、詳細番組情報があることに着目し、番組情報の取得及び蓄積を簡易タイプと、詳細タイプに区別できるようにし、ユーザの選択に応じて適応的に切換えられるようにした番組情報処理装置及び方法を提供することにある。ここで、簡易番組情報とは、例えば受信に必要なタイトルと放送時間帯、受信チャンネル等の情報であり、詳細番組情報とは、例えば出演者のプロフィール、或いは撮影箇所などの詳細情報である。
【課題を解決するための手段】
【０００５】
上記の目的を達成するためにこの発明の一実施形態では、番組情報取得部で番組情報を受信し、前記番組情報の受信に必要な少なくともタイトル、放送時間帯を含む一部の情報を蓄積部に蓄積し、前記番組情報を表示部で表示し、前記番組情報を参照しかつ受信を希望する番組の指定を受信番組指定部で行い、受信番組指定があったときに、当該希望番組の詳細番組情報の取り込み処理を前記番組情報取得部で開始し、前記詳細番組情報の取り込み中に、操作部から中止指令があったときは前記詳細番組情報の取り込みを中止する。
【発明の効果】
【０００６】
上記の方法であれば、詳細番組情報の取り込みを任意に中止することができるために、詳細情報の取得と蓄積に長時間を費やすような、ユーザの待ち時間を短縮することができる。また詳細情報に興味あるユーザは、中止操作をすることなく、継続して詳細番組情報を取得し蓄積すればよい。
【発明を実施するための最良の形態】
【０００７】
以下、図面を参照してこの発明の実施の形態を説明する。先ず、本実施形態にかかる放送受信装置の基本的な概念について説明する。デジタル放送受信装置においては、即座に表示できる情報（蓄積済みの情報）と、表示まで時間がかかる情報（受信し取得が完了するまで詳細番組情報は最大６分かかるものがある）とが存在する。
【０００８】
蓄積済み情報が存在する理由は、記憶容量を最小限にとどめた上で、番組表などの表示に最低限必要な情報を番組情報から抽出して保存しておくためである。例えば１つの番組のための情報としては、番組の開始時刻、番組の放送される時間の長さ（または終了時刻）、および番組情報に含まれる番組ＩＤ、タイトル名などがあり、番組情報を即座に参照するために保存されている。
【０００９】
番組情報としては、蓄積済み情報だけでは完全ではなく、詳細番組情報をマージさせることで完全な情報となる。
【００１０】
ここで、番組情報に対するユーザの要求としては、
１）番組名などの簡単な情報のみをさっと確認する（蓄積情報で十分）
２）番組の詳細情報（詳細番組情報）までを確認する（受信処理が必要）の２つがある。
【００１１】
上記の１）、２）のどちらか一方のみしか用意しないとなると、１）の場合「情報が不足している」と感じるユーザが存在し、２）の場合「情報の表示に時間がかかる」と感じるユーザが存在する。
【００１２】
例えば、１つの番組情報を表示させるたびに受信処理を行っていてはその都度待ちが発生するため、蓄積済みの情報だけで足りてしまうユーザにとっては使い勝手が悪い。従来は、一旦蓄積済みの情報を表示させ、その後改めて受信処理を行わせる仕組みが実現されているが、番組情報という１つの情報を得るために２ステップの表示を必要とする。
【００１３】
そこで、詳細な情報を必要とするユーザと、詳細な情報を不要とするユーザ、いずれの要求も満たし得る情報処理方法及び装置を提供する。
【００１４】
図１は、この発明が適用された映像録画装置の一実施形態の構成を示すブロック図である。図１において、映像録画装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１５】
また、いわゆる衛星（ＢＳ／ＣＳ）放送の受信アンテナ（以下、衛星アンテナと略称する）３０からの受信信号が、外付けの衛星放送の受信チューナ（以下、ＢＳ／ＣＳチューナと略称する）３１に供給され、受信復調されたデジタルデータ信号と、さらにデコードされたアナログテレビジョン信号が取り出される。
【００１６】
外付けのＢＳ／ＣＳチューナ３１から取り出されるアナログテレビジョン信号が、映像録画装置１０のアナログ入力端子１２に供給されると共に、ＢＳ／ＣＳチューナ３１から取り出されるデジタルデータ信号が、映像録画装置１０のデータ入力端子１３に供給される。
【００１７】
そして、データ入力端子１３に供給されるデジタルデータ信号が、制御ＣＰＵ（Ｃｅｎｔｒａｌ Ｐｒｏｃｅｓｓｉｎｇ Ｕｎｉｔ）２に供給され、例えばデジタルデータ信号中に含まれる電子番組表（Ｅｌｅｃｔｒｉｃ ＰｒｏｇｒａｍＧｕｉｄｅ：以下、ＥＰＧと略称する）のデータが取得されて、電子番組表が形成される。電子番組表は、内部のメモリ（蓄積手段）内に形成される。
【００１８】
また、映像録画装置１０に内蔵の地上波チューナ１で受信復調されるアナログテレビジョン信号からも、ブランキング期間に重畳されたＥＰＧのデータが取り出されて、制御ＣＰＵ２に供給される。この地上波のＥＰＧのデータについても電子番組表が形成される。この電子番組表も内部のメモリ（蓄積手段）内に形成される。
【００１９】
そして、例えば形成された電子番組表を用いて、所望の番組を受信状態にして、内部記録装置３で番組記録を行うことができる。つまり、電子番組表は、記録される所望の番組の放送時間帯と放送チャンネル等の情報が含まれる。この情報が、内蔵の地上波チューナ１又は外付けのＢＳ／ＣＳチューナ３１に選局等の制御信号として供給される。
【００２０】
これによって、内蔵の地上波チューナ１又は外付けのＢＳ／ＣＳチューナ３１で、受信復調及びデコードされたテレビジョン信号の映像信号及び音声信号等が録画装置３に記録される。なお、内部録画装置３での記録再生に当っては、周知のＡ／Ｄ、Ｄ／Ａ変換等が行われるが、図示は省略する。
【００２１】
再生動作は次のようになる。即ち、制御ＣＰＵ２の制御に従って再生動作が実行される。内部録画装置３に記録されたテレビジョン信号の映像信号及び音声信号等が、混合器４を通じて出力端子１４に取り出される。出力端子１４に取り出された信号は、受像機４０に供給されて、映像信号の表示及び音声信号の放音等が行われる。
【００２２】
また、制御ＣＰＵ２の処理に基づいて形成された電子番組表の画像や、その他の操作ガイドの画像が、混合器４に供給され、録画装置３から再生される映像信号に重畳される。これにより、これらの電子番組表や操作ガイド等の画像は、受像機４０で受像される映像信号の画面に重畳して表示される。
【００２３】
これらの電子番組表や操作ガイド等の画像を見ながら、あるいは見ずに、リモートコントロール装置５０を用いて、映像録画装置１０の制御が行われる。この制御は、リモートコントロール装置５０からの操作信号がリモートコントロール受信機１５で受信され、その受信信号が制御ＣＰＵ２に供給される。制御ＣＰＵ２は、受信した制御信号に従って、受信番組の決定、録画、或いは再生などの制御を行う。
【００２４】
この映像録画装置１０において、ＥＰＧのデータが取得されて電子番組表が形成されると、例えば後で説明するような電子番組表の画像が受像機４０に表示される。
【００２５】
図２は、番組情報を取得するときの動作を示すフローチャートであり、図３は、電子番組表の表示画面の例であり、図４は、番組情報取得が行われているときの画面の例である。以下これらの図を用いた説明を行う。
【００２６】
映像録画装置１０の番組情報取得処理動作について説明する。電子番組表を提示するための番組情報は、受信アンテナ３０および外付けのＢＳ／ＣＳチューナ３１の系統から得られたデジタルデータ信号に含まれている。データ入力端子１３に供給されるデジタルデータ信号が、制御ＣＰＵ２に取り込まれ、このデジタルデータ信号中に含まれるＥＰＧのデータが分離取得されて、メモリに蓄積され、電子番組表が形成される。
【００２７】
ここで、番組表の表示要求がユーザ操作入力部１６から入力されると、制御ＣＰＵ２は、図２に示す処理手順沿って表示に必要な番組情報をメモリから読み出して表示用として出力するとともに、また受信番組から番組情報の取得処理を実行する。
【００２８】
１）番組情報の蓄積（番組情報を表示するための前準備、デジタル放送では随時自動的に行われる）（ステップＳ２０１、Ｓ２０２）。つまり、図３に示すような、簡単な簡易番組情報のみを取得し、番組表３０１を作成する、
２）番組表の表示要求に対しては、蓄積部から簡易番組情報を読出し、簡易番組表３０１を表示する、
３）今、番組表３０１の中の番組３０２の番組情報表示要求があったとする（ステップＳ２０３）。すると、この番組に関して、今まで蓄積していない情報であって、自動的にさらに受信が可能な情報の受信を開始する（ステップＳ２０４）。つまり詳細番組情報の取得を開始する、
４）さらに、詳細番組情報受信中であることを表すアイコン「番組情報取得中」又は「検索中」３０３を画面上に表示する（ステップＳ２０５）、
＊この状態以降はユーザは個々のタイミングで詳細番組情報の表示を中止することが可能（ステップＳ２０６）である、
５）中止の操作を行わない場合（Ｓ２０６のＮｏ）、詳細番組情報の取得が継続される、そして詳細番組情報の受信が完了したら画面に受信した番組情報画面３０４を表示する（ステップＳ２０７、Ｓ２０８）。詳細番組情報が取得できない場合は、蓄積済みの情報から検索を行い（ステップＳ２０７、Ｓ２０９）、その番組情報画面３０６を表示する（ステップＳ２１０）。
【００２９】
６）情報取得の途中で、中止した場合は（ステップＳ２０６のＹｅｓ）、蓄積済みの情報から検索を行い（ステップＳ２０９）、その番組情報画面３０８を即座に表示する（ステップＳ２１０）。
【００３０】
また上記の画面では、検索中止を操作するときに、リモートコントローラ５０の操作ボタンをイメージしたアイコン３１０が表示されるので、どの操作ボタンを操作したらよいかをユーザは容易に判断することができる。
【００３１】
図５には、リモートコントローラ５０の操作部の概観を示している。このリモートコントローラ５０には、番組表を要求するための操作ボタン（番組説明ボタン）５１が設けられている。また画面上に現れるカーソルを移動させるためのカーソルボタン５５ａ，５５ｂ，５５ｃ，５５ｄと、決定ボタン５５ｅが設けられている。図４に示した検索中止のアイコンは、これらのカーソルボタンと決定ボタンをイメージしたアイコン３１０である。検索を中止するときは、決定ボタンを押せばよい。
【００３２】
上記したようにこの発明によると、制御ＣＰＵ２は、蓄積部としてのメモリ２ａを含み、ここに番組表の情報、詳細番組情報などを蓄積することができる。このメモリ２ａは制御ＣＰＵ２の外にあっても構わない。さらに制御ＣＰＵ２は、タイマー或いはユーザ操作に従って、受信チャンネル及び受信番組を決定する受信番組指定部２ｂを含む。また制御ＣＰＵ２は、上記した番組表を作成するための番組情報取得部２ｃを含む。この番組情報取得部２ｃは、詳細番組情報も取得することができる。詳細番組の取得を中止するための詳細番組情報中止処理部２ｄも含むし、受像機４０の画面に出力する画像データを制御する表示制御部２ｅも含む。
【００３３】
上記の手段により、番組情報取得部により番組情報を受信し、蓄積部に前記番組情報の少なくともタイトル、放送時間帯、及び受信に必要な情報を含む情報で番組表を生成することができる。そして表示制御部が表示部に前記番組表を表示し、受信番組指定部では、前記番組表の情報を参照するとともに、受信を希望する番組の指定を行うことができる。ここで、受信番組の指定があったときに、指定番組の詳細番組情報の取得を前記番組情報取得部で開始する。しかし、詳細番組情報の取り込み中に、操作部から中止指令があったときは前記詳細番組情報の取り込みを中止処理部により中止することができる。これにより、番組情報の取得及び蓄積を簡易タイプにすることができ、ユーザの待ち時間を短縮できる。しかし、中止処理をしなければ、詳細タイプとして機能し、ユーザが望む詳細番組情報を取得することが可能である。
【００３４】
番組情報取得部が、前記指定番組の詳細番組情報の取得を行っているときは、表示部に、詳細番組情報を取得中であることを示すアイコンを表示することができる。さらに加えて、表示制御部は、前記表示部に詳細番組情報を取得中であることを示すアイコンと、中止の操作が可能であることを示すアイコンを表示することもできる。また、中止操作を行うことができるリモートコントローラ上にある操作ボタンのアイコンを表示することも可能である。
【００３５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３６】
【図１】この発明の一実施の形態を示す構成説明図である。
【図２】図１の装置の動作例を説明するために示したフローチャートである。
【図３】この発明の装置において、番組表の表示例を示す説明図である。
【図４】この発明の装置の動作状況を画面の変化で示す説明図である。
【図５】この発明に係るリモートコントローラの概観を示す説明図である。
【符号の説明】
【００３７】
１…地上波チューナ、２…制御ＣＰＵ、３…内部録画装置、４…混合器、１０…映像録画装置、１５…リモートコントロール受信部、１６…ユーザ操作入力部、３１…ＣＳ／ＢＳチューナ、４０…受像機、５０…リモートコントローラ。
【図１】
2006253913.tif 000003
【図２】
2006253913.tif 000004
【図３】
2006253913.tif 000005
【図４】
2006253913.tif 000006
【図５】
2006253913.tif 000007